(57)【特許請求の範囲】
【請求項１】
リード線の端部に合成樹脂材料で素子を封入して成形した本体部が設けられてなる電子部品を取付板により取り付けるための構造であって、前記取付板に切欠部が形成され、この切欠部の近傍においてリード線が取付板に固定され、上記切欠部を横断するように電子部品の本体部が配置されると共に、当該本体部を弾性変形させて基端部を取付板の一方の面に先端部を取付板の他方の面にそれぞれ弾性的に当接させ、前記切欠部における前記電子部品の先端部を当接させる側に切欠部内方へ突出する係止突部とその奥側の装着凹部とが形成され、前記電子部品の先端付近を前記装着凹部に嵌合させたことを特徴とする電子部品の取付構造。
【発明の詳細な説明】
【０００１】
【発明の属する技術分野】
本発明は、電子部品を最適位置へ取り付けるための構造に関し、取付作業が簡単で、取付状態を均一にできる手段の提供を目的とするものである。
【０００２】
【従来の技術】
図７に示す冷蔵庫Ｒは、側方の機械室ｍ内に設けた冷却ユニットＵで冷気を生成し、これを冷風ファンｆ及び案内板ｔで矢印に示す如く庫内ｎを循環させるよう構成されている。冷却ユニットＵは、図８に示すように、冷却器３１，凝縮器３３，凝縮ファン３４，凝縮器モーター３５，圧縮器３７，これらを制御する電装ボックス３２等がベース３６上に組み付けられて成り、冷却器カバー３８の表面に冷風ファンｆが取り付けられている。また、庫内温度を一定に保つため、庫内温度検出用のサーミスタ１０と過冷却防止用のガラス管ヒーターＨとが設けられ、サーミスタ１０は、ガラス管ヒーターＨのカバー３９表面に固定した取付板４０により取り付けられる。
【０００３】
図９に、サーミスタ１０の取付状況を拡大して示す。サーミスタ１０は、リード線１２の先端に、感温素子を封入した本体部１１を設けたものである。取付板４０は、ヒーターカバー３９へネジ５０等により固定され、切欠部４２と、その両側の貫通孔４１，４３とが形成されている。サーミスタ１０は、本体部１１が切欠部４２に臨むよう配置されると共に、貫通孔４１，４３の位置で固定バンド２０，２０により、サーミスタ本体部１１の先端とリード線１２とが取付板４０に締結されている。
【０００４】
【発明が解決しようとする課題】
サーミスタ１０の本体部１１の内部構造は、例えば図１０のように、ダイオード１３やサーミスタ電極１４，１４等の感温素子を、軟質塩化ビニール等の合成樹脂材料１５に封入して成形したものである。従って、サーミスタ１０を取付板４０へ取り付ける際には、ガラス部分を有するダイオード１３が、切欠部４２のなるべく中央となるように位置させなくてはならない。しかしながら、作業者の熟練度その他の条件によって、サーミスタ１０の取付位置が図１１のようになるおそれがある。同図のように、サーミスタ本体部１１の中央域を固定バンド２０で締結した場合、本体部１１内のダイオード１３が圧迫されて損傷を受け又は破壊され、サーミスタ１０の動作不良をきたす可能性がある。そこで、ダイオード１３に損傷を与えないよう、固定バンド２０の締結力を弱くすることが考えられるが、この場合は、冷却器の振動等によりサーミスタ１０の位置ずれや脱落を招くおそれがある。
【０００５】
【課題を解決するための手段】
本発明は、サーミスタ等の電子部品を、最適な位置へ簡単な作業で確実に取り付けることができる手段を提供するものであって、その特徴とするところは、リード線の端部に合成樹脂材料で素子を封入して成形した本体部が設けられてなる電子部品が取り付けられる取付板に切欠部を形成し、この切欠部の近傍においてリード線を取付板に固定し、上記切欠部を横断するように電子部品の本体部を配置すると共に、当該本体部を弾性変形させて基端部を取付板の一方の面に先端部を取付板の他方の面にそれぞれ弾性的に当接させ、前記切欠部における前記電子部品の先端部を当接させる側に切欠部内方へ突出する係止突部とその奥側の装着凹部とを形成し、前記電子部品の先端付近を前記装着凹部に嵌合させたことである。
【０００６】
【発明の実施の形態】
本発明の実施形態を、電子部品がサーミスタであり、これを冷蔵庫の冷却ユニットへ取り付ける場合を例にして説明する。なおサーミスタは、リード線の先端に、感温素子を軟質塩化ビニール等の合成樹脂材料に封入して成形した本体部を設けて成るものであり、その取付位置は前記従来例と同様に、ヒーターカバーの表面等でよい。
【０００７】
図１に、本発明の実施に供する取付板１の一例を示す。同取付板１は、ヒーターカバー等へ固定される固定部２と、サーミスタ１０が装着される保持部３とから成り、保持部３は、切欠部４と、その一側方に形成した２個の貫通孔５，６とを有している。本実施形態の切欠部４は、貫通孔５，６とは反対側の部位に、切欠部４内方へ突出する係止突部４ａが形成され、該係止突部４ａの奥側に装着凹部４ｂと、切欠部４の奥行き寸法を漸減させる斜辺部４ｃとが形成されている。なお、前記貫通孔５，６近くの保持部３の端縁には、後述する固定バンド２０を係合させるための凹部７が設けられている。
【０００８】
サーミスタ１０は、このように製作された取付板１へ、図２の如く取り付けられるが、その手順を図３を参照して説明する。まず図３（Ａ）のように、サーミスタ１０の本体部１１を、取付板１における保持部３の裏面３ｂ側から切欠部４に近い方の貫通孔５へ挿通し、保持部３の表面３ａ側へ引っ張りだす。次いで同図（Ｂ）のように、もう一方の貫通孔６に固定バンド２０を挿通し、本体部１１近くのリード線１２を保持部３に締結する。このとき、サーミスタ本体部１１の基端部分１１ｂが２〜３ｍｍ程度、保持部表面３ａに当接するよう設定することが望ましい。引き続き、サーミスタ本体部１１を弾性変形させて先端部分１１ａを前記係止突部４ａをくぐらせ、保持部裏面３ｂに当接させる。サーミスタ１０は、本体部１１近くのリード線１２が取付板１に締結されているから、サーミスタ本体部１１が若干弾性変形した状態で切欠部４を横断するように配置される。それ故、先端部分１１ａが保持部裏面３ｂに、基端部分１１ｂが保持部表面３ａにそれぞれ弾性的に当接する装着状態が得られる。また、サーミスタ本体部１１の先端付近が、切欠部４の係止突部４ａと斜辺部４ｃとに挟まれた装着凹部４ｂに嵌合するから、サーミスタ１０の取付状態が安定し、機械の振動によって位置ずれを起こしたり容易に脱落したりすることがない。さらに斜辺部４ｃにより、本体部１１の先端部分１１ａが装着凹部４ｂへ導かれるので、適正な取付位置が保証される。
【０００９】
本発明の実施形態は、適宜変更することが可能である。例えば取付板１の切欠部４については、図４又は図５のような形状とすることが可能である。また図６に示すように、切欠部４に形成する係止突部４ａを裏面３ｂ側へやや折曲することもできる。かかる構成により、サーミスタ本体部１１の脱落防止がより確実になる。さらに本発明の適用対象は、サーミスタに限らず他の電子部品でもよく、その取付箇所についても、冷蔵庫以外のさまざまな箇所を取り付け対象とすることができるものである。
【００１０】
【発明の効果】
本発明によれば、サーミスタ等の電子部品を取り付けるに際し、作業者の熟練度に係わらず常に適正な取付状態を確実に得ることができるから、電子部品に損傷を与えて動作不良を招くおそれがなくなり、正常な動作が保証される。また、作業工数が減るので、取付作業の能率が向上する。取付板については形状の簡単な変更を加えるだけでよく、固定バンドの使用数を減少できるため、コストダウンがもたらされる。
【図面の簡単な説明】
【図１】本発明の実施に供する取付板の一例を示す正面図である。
【図２】本発明に係る取付構造の一実施形態を示すものであって、サーミスタの取付状況を示す正面図である。
【図３】サーミスタの取付板への取付手順を説明するものであって、底面側から見た図面である。
【図４】本発明の実施に供する取付板の他の例を示す正面図である。
【図５】本発明の実施に供する取付板のさらに他の例を示す正面図である。
【図６】本発明に係る取付構造の他の実施形態を示す底面図である。
【図７】従来の冷蔵庫を示すものであって、図（Ａ）は斜視図、図（Ｂ）は正面断面図である。
【図８】従来の冷蔵庫の冷却ユニットを取り出して示す斜視図である。
【図９】従来のサーミスタの取付構造を示すものであって、図（Ａ）は正面図、図（Ｂ）は左側面図である。
【図１０】サーミスタの内部構造を概略的に示す断面図である。
【図１１】従来のサーミスタの取付構造において起こり得る欠点を説明する正面図である。
【符号の説明】
１…取付板、２…固定部、３…保持部、４…切欠部、５，６…貫通孔、１０…サーミスタ、１１…サーミスタ本体部、１２…リード線、２０…固定バンド
【図１】
0003749599.tif 000002
【図２】
0003749599.tif 000003
【図３】
0003749599.tif 000004
【図４】
0003749599.tif 000005
【図５】
0003749599.tif 000006
【図６】
0003749599.tif 000007
【図７】
0003749599.tif 000008
【図８】
0003749599.tif 000009
【図９】
0003749599.tif 000010
【図１０】
0003749599.tif 000011
【図１１】
0003749599.tif 000012